(57)【要約】【課題】古い種子、発芽率の悪い種子、或いは劣悪な環境下でも種子の発芽率を高め、挿し木における発根率を高めて挿し木の定植率を高める他、既存の植物の根張りを促進する植物種子の発芽剤及び植物の発根促進方法を提供する。【解決手段】ステビアの植物体の地上部の微粉砕物、ステビアの植物体の抽出液或いはステビアの植物体の抽出液の醗酵物と、インドール酢酸のようなオーキシン作用を有する物質を含有する植物の発根促進剤であり、又は、植物種子を発芽させるにあたり、ステビアの植物体の地上部の微粉砕物、ステビアの植物体の抽出液或いはステビアの植物体の抽出液の醗酵物を含有させる。【選択図】　なし【特許請求の範囲】
【請求項１】
ステビアの植物体の抽出液とオーキシン作用を有する物質を含有する植物の発根促進剤。
【請求項２】
抽出液がステビア植物体の抽出液の醗酵物を使用であることを特徴とする請求項１記載の植物種子の発根促進剤。
【請求項３】
ステビアの植物体の地上部の微粉砕物とオーキシン作用を有する物質を含有する植物の発根促進剤。
【請求項４】
オーキシン作用を有する物質がインドール酢酸であることを特徴とする請求項１ないし３のいずれかに記載する植物の発根促進剤。
【請求項５】
植物種子を発芽させるにあたり、ステビアの植物体の抽出液を土壌に含浸させることを特徴とする植物種子の発芽促進方法。
【請求項６】
抽出液が、ステビアの植物体の抽出液の醗酵物であることを特徴とする請求項５記載の植物種子の発芽促進方法。
【請求項７】
植物種子を発芽させるにあたり、ステビアの植物体の地上部の微粉砕物を土壌に配合することを特徴とする植物種子の発芽促進方法。
【発明の詳細な説明】
【０００１】
【発明が属する技術分野】
本発明は古い種子、発芽率の悪い種子、或いは劣悪な環境下でも種子の発芽率を高め、挿し木における発根率を高めて挿し木の定植率を高める他、既存の植物の根張りを促進する植物種子の発根剤及び植物の発芽促進方法に関する。
【０００２】
【従来の技術】
植物の種子が土壌で発芽するためには、種子が新しいこと、照度が高いこと、充分な水分が存在し土壌が柔らかいこと等多くの条件が存在する。
従来、粒度の小さい肥沃な土壌で苗床を作り、この苗床に播種して発芽させていた。また、植物を栽培する土壌に直接播種することも多く、この場合は発芽率の低下を念頭において多めの種子を播き、密生した部位は間引きする方法が採られている。また、植物の若枝を切り、土壌に直接挿して切り口からの発根を促して新規に植物を育成する挿し木も行われているが、挿し木の発根率はあまり高くない。その他、株分け、根分け等の増殖方法がある。
【０００３】
【発明が解決しようとする課題】
１年以上経過した古い種子や発芽率の悪い種子でも、新しい種子と同様に高い発根率が得られれば、種子を無駄にすることなく有効に利用できる。
更に、挿し木がほぼ確実に発根し定植できれば、優れた親木から次々に挿し木し、品種を世代毎に優秀にし、収穫を増やすことができる。
以上の理由より、天然素材由来であって発根、発芽率を高める物質が求められていた。
【０００４】
【課題を解決するための手段】
本発明は上記課題を解決するものであって、その構成は、ステビアの植物体の地上部の微粉砕物、ステビアの植物体の抽出液或いはステビアの植物体の抽出液の醗酵物と、インドール酢酸のようなオーキシン作用を有する物質を含有する植物の発根促進剤であり、又は、植物種子を発芽させるにあたり、ステビアの植物体の地上部の微粉砕物、ステビアの植物体の抽出液或いはステビアの植物体の抽出液の醗酵物を含有させることを特徴とする。
【０００５】
すなわち、本発明はステビアの茎や葉の乾燥品、ステビアの全草の微粉砕物、その抽出液或いはその醗酵物を使用する。ステビアの抽出液は常温で放置するのみで醗酵する。本発明者らは、この抽出液及び醗酵液、更にはステビアの地上部の微粉砕物にも植物の種子の発芽率のみならず、発芽勢、発根率を促進させる効果があること、更に、オーキシンの作用を強める効果があることを発見して本発明を完成するに至った。
【０００６】
【発明の実施の形態】
本発明におけるステビアとは南米原産のキク科の多年生植物、ステビア．レバウディアナ．ベルトニ（Ｓｔｅｖｉａ　ｒｅｂａｕｄｉａｎａ　ｂｅｒｔｏｎｉ）及びその類縁植物である。実験の結果、有効成分は葉及び茎、特に蕾を持つ前の茎や成熟した植物の葉や茎に多く含有されるが、根にも、花にも、幼弱植物にも有効成分が含有されることを確認した。本発明におけるステビアの地上部の微粉砕物とは、ステビアの根を除く全草を粉末状にしたもの、或いは粉末を再度顆粒状にしたものである。
【０００７】
更に、ステビア抽出液とはステビアの粉砕物或いは植物組織を煮沸抽出、熱水抽出、冷水抽出或いはアルコール抽出した液である。例えば、熱水抽出、煮沸抽出、２５〜７５％のエタノール抽出等が行われる。抽出液はそのままでも使用できるが、一般に濃縮して市販される。放置すると常温で醗酵し、最初は激しく醗酵するが、半年ないし１年で次第にゆるやかな醗酵に変わる。また、乾燥した全草の微粉砕物を単独で或いは醗酵液と混ぜて使用することもできる。一般に市販品は半年ないし１年醗酵させた後の抽出液である。市販品としてはファームＡ（商品名、ジェー・ビー・ビー社製）がある。この原液を１００〜１０００倍に希釈して０．５〜５リットル／ｍ２　の割合で土壌に散布し、播種することにより発芽率が向上する。また、インドール酢酸のようなオーキシン作用を有する物質を少量配合すると、両者の相乗効果により挿し木の定植率が顕著に向上し、発芽率の低い種子の発芽率も向上する。
【０００８】
本発明におけるオーキシン作用を有する物質としては、インドール酢酸をはじめ、ナフタレン酢酸、２，４Ｄ（２，４−ジクロロフェノキシ酢酸）、インドール酪酸、４−クロロフェノキシ酢酸、インドールアセトニトリル、インドールピルビン酸等を挙げることができる。中でもインドール酢酸、２，４Ｄ、ナフタレン酢酸が好ましく使用される。
インドール酢酸は０．１ｐｐｍでないと効果を発現しないが、ステビア液或いはステビア微粉砕物と共存すると０．００５〜０．０５ｐｐｍで充分な効果を発現する。
【０００９】
【実施例】
実施例１（レタスの発芽率）
試験材料
ステビア液：ファームＡ
種子　　　：レタス、品種グレートレーク３６６、検定後１２か月経過
培地　　　：
素寒天培地（０．８％寒天含有）
ＭＳ培地（０．８％寒天含有）
ステビア１０００倍希釈寒天培地（１０３　ｐｐｍ）
ステビア１００００倍希釈寒天培地（１０２　ｐｐｍ）
ステビア１０００００倍希釈寒天培地（１０ｐｐｍ）
ステビア１００００００倍希釈寒天培地（１ｐｐｍ）
【００１０】
試験方法
（１）３００ｍｌ三角フラスコに５０ｍｌずつ寒天培地、ＭＳ培地、ステビア液希釈寒天培地をそれぞれ調製する。
（２）レタスの種子を滅菌ビーカーに入れ、７０％エタノール１００ｍｌで１０秒間殺菌後、滅菌水１００ｍｌで３回洗浄する。
（３）有効塩素濃度１％の次亜塩素酸ナトリウム溶液１００ｍｌで１０分間撹拌しながら滅菌し、滅菌水１００ｍｌで３回洗浄する。
（４）クリーンベンチ内で、各培地に滅菌種子を１０粒ずつピンセットで置床する。蛍光灯６００ｌｕｘで１日１２時間照明して培養し、４日後の発芽、発根の状態を観察した。
上記の試験結果を表１に表す。
【００１１】
【表１】
2004143048.tif 000002
【００１２】
表１から明らかな通り、検定後１２か月、６００ｌｕｘという悪条件の下でも、ステビアを添加すると良好な発芽率が得られる。更にステビア液添加の種子には発芽勢があった。なお、置床６日後にＭＳ培地から１個発芽し発芽率８０％となった。また、検定後７か月の種子の場合には全ての培地で１００％の発芽率が得られた。
【００１３】
実施例２（パンジーの種子の発芽率）
パンジーの苗床にファームＡの１０００倍希釈液を３リットル／ｍ２　灌水し、パンジーの種子５０粒を蒔いた場合、１０日後の発芽率は９２％であった。
一方、同一の苗床にファームＡを含有しない水を灌水した場合には３０％の発芽率しか得られなかった。
【００１４】
実施例３（子葉の発根率）
レタス種子（グレートレイク３６６）、検定日より７か月経過した種子を用いた。素寒天培地（０．８％寒天含有）に実施例１と同様にして、消毒した種子１０粒を置床し３０℃、蛍光灯照明下２７００ｌｕｘで１日１２時間照明し、１４日培養して無菌植物を得た。クリーンベンチ内のペトリ皿の上で、上記無菌植物を胚軸及び子葉に切断した。
表２に示す各種培地に、胚軸片及び子葉を各々１０個ずつ置床し、３０℃、蛍光灯照明下２７００ｌｕｘで１日１２時間照明して培養し、２０日後の１０個の子葉から発根した数を表２に併記した。なお、胚軸からの発根、発芽は全くみられなかった。
【００１５】
【表２】
2004143048.tif 000003
【００１６】
表２から明らかな通り、インドール酢酸とステビア液を併用すると顕著な発根率が得られる。インドール酢酸は０．０１ｐｐｍでは効果がなく、通常０．１ｐｐｍ使用している。その意味からも、インドール酢酸を始めとするオーキシン作用を有する物質とステビア液との相乗効果が認められた。
【００１７】
実施例４（インドール酢酸の発根に及ぼす影響）
次に、ステビア液１０ｐｐｍ寒天培地に、インドール酢酸を０〜１ｐｐｍ添加した各種培地を作成し、実施例３と同様に処理した子葉及び胚軸を１０個ずつ置床した。照度、照明時間も実施例３と同様にして２０日間培養後の子葉の発根数を表３に記載した。胚軸からの発根、発芽は全くみられなかった。
表３より、ステビア液の存在下では、インドール酢酸は通常使用される０．１ｐｐｍの１／１０程度で効果を発現することが判明した。
【００１８】
【表３】
2004143048.tif 000004
【００１９】
実施例５（とまとの挿し木）
とまとを植えたビニルハウスにおいて、元気がよく実りのよい親木の新芽を切取った。別に、ファームＡ１００リットルに０．１ｇのインドール酢酸を配合した挿し木液を作成し、この挿し木液に新芽の切り口を浸して親木と親木の中間に挿した。次いでこの挿し木液を１０００倍に希釈して２リットル／ｍ２　の割合で挿し木した土壌に散水した。挿し木は９５〜１００％の活着率を示した。親木が枯れた後は、挿し木がある程度成長しているため、次の収穫までの期間が短く年間収穫率の顕著な向上が見られた。
なお、本実施例の挿し木液を使用しないで挿し木した場合には、活着率は２１％であった。
【００２０】
【発明の効果】
本発明により、種子の発芽率が向上したため、農家における種子の費用が削減でき、また、挿し木による増殖がより確実になったため、苗や種子に頼っていた農産物も挿し木によって増殖させることができるようになった。